(57)【要約】      （修正有）【課題】電子機器によらず、複数の表示画面を瞬時に切り替えて表示する事を可能とする。【解決手段】拡大レンズ１をハニカム状に並べたレンズアレイ板とレンズ焦点範囲を絞るマスクシートＭと前記板に１つ以上種類の画面を前記レンズアレイのピッチ配列に合せて分解し並べたピッチシートＰを配列に合せて平行移動させて選択表示を替える事を特徴とする。【選択図】図１
2018112723.tif 000002
【特許請求の範囲】
【請求項１】
拡大レンズをハニカム状に並べたレンズアレイ板とレンズ焦点範囲を絞るマスクパタンシートと１つ以上の種類の要素を前記レンズアレイのピッチの配列に合せて分解し並べたピッチシートを前記レンズアレイ板に沿って前記ピッチシートの配列に合せて平行移動させる事により前記要素を前記レンズアレイ板で選択表示する事を特徴とする装置。
【請求項２】
請求項１記載のピッチシートで要素の１種類を透明として作成し別のピッチシートにも同様の透明領域を作成し複数のピッチシートを重ね１３種類以上に要素種類を増やす方法を加えた装置。
【請求項３】
請求項１記載の表示種類として交通標識や交通案内の絵を選び表示を変える装置。
【請求項４】
請求項１記載の表示種類に色や柄の絵を選択し平面や曲面の表示を変える装置。
【請求項５】
請求項１記載のハニカム状に並べるレンズを１方向に伸ばし視点範囲を伸ばす様に改良した装置。
【請求項６】
請求項１記載の要素種類に要素別に波長選択透過機能を持たせて透過光の種類を変えることで動植物の環境変化を調整する事を特徴とする装置。
【請求項７】
請求項１記載の請求項１記載の要素種類の一つに太陽電池を用いてエネルギーを取り出す機能を付け加えた装置。
【請求項８】
請求項１記載のハニカム状以外の形状の行列に並べた装置。
【発明の詳細な説明】
【技術分野】
【０００１】本発明は、表示板の画面を複数の画面と入れ替えて表示する装置である。
【背景技術】
【０００２】  現在の屋外表示は、固定表示物がほとんどで、オリンピックなどで要求される多言語表示や災害切替表示の可変表示板には、外部電源が必要な電光板や液晶表示などの電子看板となり固定表示板から交換するのに莫大な費用がかかり交換ができないでいる。【０００３】  オリンピックを控え、案内板等の交通標識に多言語表記や災害時の適時誘導等を付け加える要望があるが、前記標識に追加場所がなく、追加表記ができない。また、イベントに合わせて表示の内容変更など適時のメッセージ表示ができない。
【先行技術文献】
【特許文献】
【０００４】
【特許文献１】特開２０１０−２０４２０２号公報
【特許文献２】特開２０００−０４７６０８号公報
【実新文献３】
第３０１６９５１号公報
【発明の概要】
【発明が解決しようとする課題】
【０００５】    電子機器によらず、複数の表示画面を瞬時に切り替えて表示する事を可能とするには、文献１の方法では、ロール型の場合ロール部分と巻き上げ機による装置が必要で変更に時間がかかり動力が必要でり、文献２の回転型は４種類以上変更する事が出来ない上に４面に印刷を分けて段ごとに張り合わせが必要で厚くなり、文献４の背景移動型は、遮蔽物から明るい部分が見えてきて新しく表示が変更したように見えるだけである。
【課題を解決する為の手段】
【０００６】  本発明は、図１と図２の様に拡大レンズをハニカム状に並べたレンズアレイ板とレンズ焦点範囲を絞るマスクパタンシートと１つ以上の種類の要素を前記レンズアレイのピッチ配列に合せて分解し並べたピッチシートを前記レンズアレイ板に沿って前記ピッチシートの配列に合せて平行移動させる事により前記要素を前記レンズアレイ板で選択表示する事を特徴とする。
【０００７】  前記のピッチシートで要素の１種類を透明として作成し別のピッチシートにも同様の通透明領域を作成し複数のピッチシートを重ね１３種類以上に要素種類を増やす。この透明は通過領域としているのでピッチシートにその領域に孔を開いても良い。
【０００８】  前記のピッチシートの表示種類に各種交通標識や多言語表示、交通案内の絵を選び表示を変える。
【０００９】  前記のピッチシートの表示種類に色や柄の絵を選択し平面や曲面の表示を変える事を特徴とする。
【００１０】  前記のマスク孔を広げて視差と視点で異なる絵を表示する事を特徴とする。
【００１１】  前記のハニカム状に並べるレンズを１方向に伸ばし視点範囲を伸ばす。
ハニカムレンズのピッチ方向に応じて見た目の視野が比例するので視野を伸ばしたい方向に伸ばす事を特徴とする。
【００１２】  前記のピッチシートの要素種類に要素別に波長選択透過機能を持たせて透過光の種類を変えることで動植物の環境変化を調整する事を特徴とする。
【００１３】  前記のピッチシートの要素種類の一つに太陽電池を用いて電力を取り出機能を追加する。
【００１４】  前記のハニカム状以外に正方行列に並べる場合を述べているが、ハニカム配列が理想的だがそれ以外にも平行行列など可能である。
【発明の効果】
【００１５】  本発明の効果は、表示板に活用する場合に表示したい画面を１要素として選びび要素をピッチに分解して７要素を１シートに収めるピッチシートが作成し、本装置に収めピッチシートの僅かな移動量で移動面の要素選択拡大して１枚の絵として７画面を再現表示する。
【００１６】７要素の一つを透明や穴開きにするとその位置を通過して背景のピッチシートを表示するので６種類＋透明＋６種類＋透明＋６種類＋透明・・・・とピッチシートが薄ければ重ねることで１３、１９、２４・・種類と表示種類を増やす事が出来る。
【００１７】  本装置の利用は、交通標識や交通案内板、時刻表、出発到着案内、大型看板などある程度距離を置いて見る表示に適している。また平行にずれる装置をケーブルやモーターの遠隔操作装置を置くことでその場のタッチ操作や定時切替、災害時一斉切り替え等に対応して表示を替える事が出来る。
【００１８】  本装置、表示に電子機器を用いないので電力を必要とせず、画面変更時のピッチシートの平行移動のモータ使用等と僅かな電力で動くので電池や太陽電池を使用して外部電源がを必要としない。
【００１９】  本装置は、外光を直接使用できるので建物の外壁や壁、車両などに利用して日中でも色や柄の変わる外装として使用出来る。
【発明を実施する為の形態】
【００２０】この発明の実施例を図を参考に説明する。
図１は、拡大レンズのハニカムアレイとマスクピッチシートを示した図１である。上記レンズのハニカムアレイ板は同一サイズのレンズの密集形態で隙間なく詰めると正６角形の形状に成りピッチシートに印刷される要素は隙間なく詰めると１０．５９８度右に回転したハニカム構造になりマスクシートのマスク孔も同様に１０．５９８度右に回転する。図１の正６角形で構成されるレンズアレイシート（Ｒ）の大きさの比率は横ピッチを１とすると縦方向は√７／２の０．８６６となりピッチシートの分解画素要素の３の直径は０．４３６となる。同様にマスク孔の大きさも同様である。
【００２１】但しここまでの効率を要求しない場合は、前記１０．５９８度傾けずレンズアレイシートと同じ向きにおいた場合の分解画素要素の３の直径は０．３８５となり約２２％の有効面積を減じ暗くなり視野角が狭くなる。
【００２２】  図１でレンズアレイシート上面から入った光が図３や図４の様に集光されてマスク孔を通りピッチシートの分解要素にあたり散乱や透過した光がレンズアレイシートから放出されその拡大レンズで拡大した画像は、隣接した他の拡大画像とマスク孔ピッチの隙間狭めて見える。拡大レンズとマスクの距離は、レンズ焦点距離の３分の２から焦点距離の間が必要である。
【００２３】  図２で示す様にＡ〜Ｇ画面を一定のピッチに分解し配列状に並べたピッチシートを作成し、７種の分解要素を持つハニカム上の配列シートができる。このピッチシートを（Ｐ）として図１の（Ｒ）（Ｍ）に対してその面に沿って隣接した分解画素がマスク孔に合わさるまで平行移動を行うと前段００２３で述べた拡大作用で分解された画面の一つを選んで再構成されて（Ｒ）上に映される。
【００２４】ピッチシートの要素種類に要素別に波長選択透過機能を持たせて透過光の種類を変えることで動植物の環境変化を調整する。発芽段階で赤色光や遠赤色光の照射により発芽を制御し生育段階や状況に応じて遮光や赤色光や青色光を選択することで発芽や生育、成長を市場動向に合わせて出荷時期を制御できる。
【００２５】  図５の様に拡大レンズをフレネルレンズに変えて１〜１０センチメーターの範囲に大きくし、伸びた焦点距離はレンズアレイとマスクフィルムの距離を延ばすので、装置を２重構造として波長選択透過物質を要素としてピッチシートを作成し、太陽の透過光を遮光から選択波長光、全透過光へと変化させる事で植物の生育を制御する。また太陽光発電を行うが遮光以外でも発電できるようにマスクに反射材を用いる。
【００２６】  図６は、信号機など視野角が縦方向に必要な場合にハニカム状に並べるレンズを縦方向に延ばし視野角を広げている。この時のピッチシートは回転角が付かず図６の様に細長くなる。平行移動は横方向のみになり３種類の変更表示となる。赤色、青色、黄色の３画面をピッチシートに配して３色信号表示ができる。
【００２７】  本装置は、必要に応じて図３〜図６形状と機能を組み合わせて用いる事が出来る。
レンズアレイやピッチシートの配列もハニカム以外の形状を取ることが可能である。
【図面の簡単な説明】
【図１】  拡大レンズのハニカムアレイとマスクパタンシートとピッチシートの関連を平面と断面で示した図である。
【図２】  表示要素を分解しピッチシートに並べた分解要素が選択再表示される概念図である。
【図３】  本装置の断面図で外光と分解要素からの散乱光による表示の関係を表した図
【図４】  本装置の断面図で外光を背面から集光し分解要素を透過散乱させ表示する図
【図５】  本装置の断面図で太陽光を集光し分解要素を透過した光の照射を表した図と太陽電池をピッチシートに置いた図
【図６】  レンズアレイを縦に伸ばして視野範囲を広げた図
【符号の説明】（Ｒ）      レンズアレイシート
（Ｍ）      マスクシート
（Ｄ）      組合せ断面
（Ｐ）      ピッチシート
１          拡大レンズ
２          マスク孔
３          分解要素
４          太陽電池
Ａ〜Ｇ      要素７種類（画面７種類）
Ａ１〜Ｅ１  遠赤色、赤色、青などの波長選択透過膜
Ｓ          透明
ＲＤ        表示画面
2018112723.tif 000003
【図１】
2018112723.tif 000004
【図２】
2018112723.tif 000005
【図３】
2018112723.tif 000006
【図４】
2018112723.tif 000007
【図５】
2018112723.tif 000008
【図６】
2018112723.tif 000009